(57)【要約】【課題】シンプルな構造で、恒久的に使用可能なレバー付き係止部材を使用することにより、経済性及び操作性に優れた柱付きパレットを提供する。【解決手段】柱受け部材２を四隅に立設したパレット基盤１と、前記柱受け部材２に嵌合されて接続される支柱３ａを備えた側枠材３とを有する柱付きパレットにおいて、前記柱受け部材２には、掛け止め部６が設けられ、前記側枠材３には軸５ａが接合され、この軸５ａを中心に回動可能なレバー付き係止部材４が取り付けられ、該レバー付き係止部材４の一方４ａは、前記柱受け部材２の掛け止め部６に係止される係合部１２等を備えており、レバー付き係止部材４の他方４ｃは取手が設けられ、前記柱受け部材２に前記支柱３ａが嵌合した状態で、柱受け部材２の掛け止め部６にレバー付き係止部材４の係合部１２等が係合して、支柱３ａが抜け止めされていることを特徴とする。【選択図】図１
2007168852.tif 000002
【特許請求の範囲】
【請求項１】
柱受け部材を四隅に立設したパレット基盤と、前記柱受け部材に嵌合されて接続される支柱を備えた側枠材とを有する柱付きパレットにおいて、
前記柱受け部材には、掛け止め部が設けられ、
前記側枠材には軸が接合され、この軸を中心に回動可能なレバー付き係止部材が取り付けられ、該レバー付き係止部材の一方は、前記柱受け部材の掛け止め部に係止される係合部を備えており、レバー付き係止部材の他方は取手が設けられ、
前記柱受け部材に前記支柱が嵌合した状態で、柱受け部材の掛け止め部にレバー付き係止部材の係合部が係合して、支柱が抜け止めされていることを特徴とする、柱付きパレット。
【請求項２】
前記回動可能なレバー付き係止部材は、自重により、その一端部が柱受け部材の側面に当接する方向に回転モーメントを生じ、柱受け部材の掛け止め部に掛け止められる構成であることを特徴とする、請求項１に記載した柱付きパレット。
【請求項３】
前記掛け止め部は、柱受け部材の側面に突出しており、前記レバー付き係止部材は、その一端部が前記柱受け部材の側面に設けた前記掛け止め部に掛け止められる構成であることを特徴とする、請求項２に記載した柱付きパレット。
【請求項４】
前記レバー付き係止部材の係合部は、前記掛け止め部に係合する開口部が設けられていることを特徴とする、請求項３に記載した柱付きパレット。
【請求項５】
前記レバー付き係止部材の一方の先端がフック状に屈曲して、この屈曲した係合部が前記掛け止め部に係合していることを特徴とする、請求項１〜３のいずれか一に記載した柱付きパレット。
【請求項６】
前記レバー付き係止部材の一方の先端が屈曲した係合部とされ、前記柱受け部材の側面には、前記係合部の先端が挿入可能な開口部が設けられていることを特徴とする、請求項２に記載した柱付きパレット。
【発明の詳細な説明】
【技術分野】
【０００１】
この発明は、柱受け部材を四隅に立設したパレット基盤と、前記柱受け部材に嵌合されて接続される支柱を備えた側枠材とを有し、物品の運搬、格納に用いられる柱付きパレット、特には、長尺物やロールの両端部を支持して運搬、格納するのに好適な、２本の支柱を横架材により互いに連結した側枠材を対向配置に設けた折りたたみ式柱付きパレットの技術分野に属し、更に云えば、移動時や作業時の振動により前記側枠材が柱受け部材から不用意に抜けることを防止する、シンプルな構成のレバー付き係止部材を備えた柱付きパレットに関する。
【背景技術】
【０００２】
従来、柱受け部材を四隅に立設したパレット基盤と、前記柱受け部材に嵌合されて接続される支柱を備えた側枠材とを有する柱付きパレットは種々開示されている（例えば、特許文献１〜６を参照）。前記柱付きパレットは、主として折りたたみ式（例えば、前記特許文献１〜５を参照）と組立式（例えば、前記特許文献６を参照）とに大別される。
【０００３】
前記折りたたみ式柱付きパレットは、積載物を降ろした後の空の状態で折りたたむとき、前記支柱を若干持ち上げて支持、固定状態を解除してから折りたたむ手法が一般的である。しかし、この折りたたみ式柱付きパレットは、折りたたみ作業を意図していない場合であっても、荷降ろし作業で積載物を吊り上げる際の反動や、移動時の振動等により、前記支柱の支持、固定状態が解除され当該支柱が不用意に倒伏して折りたたみ状態となり、積載物や作業者に接触して危険を及ぼす虞があった。この問題は、組立式の柱付きパレットにおいても同様で、荷降ろし作業で積載物を吊り上げる際の反動や、移動時の振動等により、前記支柱の支持、固定状態が解除され、不用意に支柱が脱落し、積載物や作業者に接触して危険を及ぼす虞があった。
【０００４】
そこで、前記問題を解消するべく、前記支柱の支持、固定状態が不用意に解除されない手段として、（１）柱受け部材と支柱とに共通する孔部を設け当該孔にボルト又はピンを手作業で脱着することによる固定・解除手段が考えられる。（２）また、起立させた支柱の動き（特には回転）を拘束する機構が開示されている（例えば、特許文献１を参照）。
【０００５】
【特許文献１】特開平５５−４８０４５号公報
【特許文献２】実公昭５８−４６９８９号公報
【特許文献３】実開平７−１７７２６号公報
【特許文献４】特開２００３−１６０１３３号公報
【特許文献５】特開２００４−３５０７２号公報
【特許文献６】特開２０００−１６８７７５号公報
【発明の開示】
【発明が解決しようとする課題】
【０００６】
前記（１）に係る固定・解除手段は、操作が煩わしく手間がかかるという問題があった。また、パレットの組み立て時に、ボルト又はピンの取り付け作業を失念する虞もあった。前記取り付け作業を失念した場合に、段積みや棚に格納した場合にフォークリフトの作業後、フォークリフトを降りてわざわざボルト又はピンの取り付け作業を高所で行わねばならないなど、到底煩わしさに耐えない問題もあった。
【０００７】
前記（２）に係る起立させた支柱の動きを拘束する機構は、具体的に、前記特許文献１の特許請求の範囲６、及び第１図〜第４図に開示されているように、圧縮ばね６２が操作ハンドル４０との底板１２との間に設けられて、楔４４の開放の際、双腕レバー３６の揺動軸４２と底板１２へのばね取り付け点とを結ぶ線６８を越えてこの圧縮ばね６２が揺動し、それにより双腕レバー３６が楔４４の開放位置に拘束可能な構成で実施されているが、段積みした場合に作用する大きな水平力に対しては強度上不利な面があるほか、部材点数が多く構造が複雑でコストが嵩むという問題があった。また、ばねのへたりなど付勢力が劣化し易く長期的使用は至難という問題と、ばねの交換を余儀なくされそれに伴いコストが嵩むという問題を併せ持っていた。
【０００８】
本発明の目的は、シンプルな構造で、恒久的に使用可能なレバー付き係止部材を使用することにより、経済性及び操作性に優れた柱付きパレットを提供することにある。また、自重作用により、パレットの組み立てと同時に側枠材をロックすることができるレバー付き係止部材を使用することにより、ロック操作を失念する虞がなく、付勢力が劣化する虞もない、経済性及び操作性に非常に優れた柱付きパレットを提供することにある。
【課題を解決するための手段】
【０００９】
上述した背景技術の課題を解決するための手段として、請求項１に記載した発明に係る柱付きパレットは、図１〜図４に示したように、柱受け部材２を四隅に立設したパレット基盤１と、前記柱受け部材２に嵌合されて接続される支柱３ａを備えた側枠材３とを有する柱付きパレットにおいて、前記柱受け部材２には、掛け止め部６が設けられ、前記側枠材３には軸５ａが接合され、この軸５ａを中心に回動可能なレバー付き係止部材４が取り付けられ、該レバー付き係止部材４の一方４ａは、前記柱受け部材２の掛け止め部６に係止される係合部１２等を備えており、レバー付き係止部材４の他方４ｃは取手が設けられ、前記柱受け部材２に前記支柱３ａが嵌合した状態で、柱受け部材２の掛け止め部６にレバー付き係止部材４の係合部１２等が係合して、支柱３ａが抜け止めされていることを特徴とする。
【００１０】
請求項２に記載した発明は、請求項１に記載した柱付きパレットにおいて、図４〜図６に示したように、前記回動可能なレバー付き係止部材４は、自重により、その一端部４ａが柱受け部材２の側面２ａに当接する方向に回転モーメントを生じ、柱受け部材２の掛け止め部６に掛け止められる構成であることを特徴とする。
【００１１】
請求項３に記載した発明は、請求項２に記載した柱付きパレットにおいて、図４〜図６に示したように、前記掛け止め部６は、柱受け部材２の側面２ａに突出しており、前記レバー付き係止部材４は、その一端部４ａが前記柱受け部材２の側面２ａに設けた前記掛け止め部６に掛け止められる構成であることを特徴とする。
【００１２】
請求項４に記載した発明は、請求項３に記載した柱付きパレットにおいて、図５に示したように、前記レバー付き係止部材４の係合部４ａは、前記掛け止め部６に係合する開口部１２が設けられていることを特徴とする。
【００１３】
請求項５に記載した発明は、請求項１〜３のいずれか一に記載した柱付きパレットにおいて、図１０に示したように、前記レバー付き係止部材１４の一方１４ａの先端がフック状に屈曲して、この屈曲した係合部が前記掛け止め部６に係合していることを特徴とする。
【００１４】
請求項６に記載した発明は、請求項２に記載した柱付きパレットにおいて、図１４Ａ、Ｂに示したように、前記レバー付き係止部材４の一方４ａの先端が屈曲した係合部とされ、前記柱受け部材２の側面２ａには、前記係合部の先端が挿入可能な開口部８が設けられていることを特徴とする。
【発明の効果】
【００１５】
本発明に係る柱付きパレットによれば、シンプルな構造で、恒久的に使用可能なレバー付き係止部材を使用しているので、経済性及び操作性に優れている。勿論、当該支柱（側枠材）が不用意に抜け、積載物や作業者に接触して危険を及ぼす虞もない。また、前記レバー付き係止部材のロック状態を解除する手法は、作業者が側枠材を掴む等、折りたたみ作業、又は解体作業の一連の動作で簡単に解除することができ、この点においても操作性に優れている。
特に、請求項２に係る柱付きパレットによれば、自重作用により、パレットの組み立てと同時に側枠材をロックすることができるレバー付き係止部材を使用しているので、ロック操作を失念する虞もなく、手間もかからず操作性に優れている。また、付勢手段は、レバー付き係止部材の自重作用によるもので、付勢力が劣化する虞もない。
【発明を実施するための最良の形態】
【００１６】
本発明に係る柱付きパレットは、上述した発明の効果を奏するべく、以下のように実施される。
【実施例１】
【００１７】
図１〜図３は、請求項１に係る柱付きパレットの全体構造を示している。図４は、図２の枢要部を示している。この柱付きパレットは、柱受け部材２を四隅に立設したパレット基盤１と、前記柱受け部材２に嵌合されて接続される支柱３ａを備えた側枠材３とを有し、前記柱受け部材２には、掛け止め部６が設けられ、前記側枠材３には軸５ａが接合され、この軸５ａを中心に回動可能なレバー付き係止部材４が取り付けられ、該レバー付き係止部材４の一方４ａは、前記柱受け部材２の掛け止め部６に係止される係合部１２等を備えており、レバー付き係止部材４の他方４ｃは取手が設けられ、前記柱受け部材２に前記支柱３ａが嵌合した状態で、柱受け部材２の掛け止め部６にレバー付き係止部材４の係合部１２等が係合して、支柱３ａが抜け止めされている（請求項１記載の発明）。
【００１８】
前記側枠材３に設けたレバー付き係止部材４の一端部４ａと前記柱受け部材２の側面２ａとの係合（掛け止め）構造のバリエーションは、後述するように種々考えられるが、本実施例では、前記柱受け部材２の側面２ａに掛け止め部６を突設し、前記レバー付き係止部材４の一端部４ａを前記掛け止め部６に係合する開口部１２を設け、当該開口部１２が前記掛け止め部６に掛け止められる構造で実施している（請求項３、４記載の発明）。
【００１９】
図示例に係る柱付きパレット１０は、ロール状の物品１１を運搬、格納するのに好適な、２本の支柱（角パイプ）３ａ、３ａを横架材３ｂで互いに連結して成る側枠材３を使用した折りたたみ式柱付きパレット１０で実施しているが、実施例はこれに限定されない。勿論、組立式の柱付きパレットにも適用可能である。
【００２０】
図示例に係るレバー付き係止部材４は、薄鋼板を所要の角度に折り曲げ成形した構造で、前記支柱３の横架材３ｂの下面に溶接等の固定手段で取り付けた軸着部５の軸５ａにその中間屈曲部４ｂを吊り支持して回動可能に実施している。また、本実施例に係るレバー付き係止部材４は、手動操作により、前記柱受け部材２の掛け止め部６に掛け止めてロックする構成で実施している。
【００２１】
ちなみに、図示例に係る柱付きパレット１０は、パレット基盤１の四隅に断面方形の柱受け部材２を設け、左右両側の柱受け部材２の対向する内側面の上部を切り欠いて断面コ字形になすと共に、各柱受け部材２のコ字形部分の両辺上端部に凹溝２ｂを対向して設け、左側の前後の柱受け部材２、２及び右側の前後の柱受け部材２、２の内部にはそれぞれ、２本の断面方形の角パイプ３ａ、３ａを横架材３ｂで互いに連結して成形した側枠材３の両側下端を挿入し、且つ柱受け部材２のコ字形部分の両辺に鉛直方向に設けた長孔３ｃに軸部６にて前記側枠材３を起倒自在に連結すると共に、前記側枠材３の両辺下部にそれぞれ幅方向にピン７を設けて前記柱受け部材２の上端部に設けた凹溝２ｂに係止して位置決めする構成の折りたたみ式柱付きパレットで実施している。なお、当該構成自体は格別新規ではない。図示例に係る横架材３ｂのうち上方の横架材３ｂの形状は、ロール状の物品１１を安全に運搬し、格納し得る工夫が施されている。
【００２２】
したがって、上記構成の柱付きパレット１０によれば、シンプルな構造で、恒久的に使用可能なレバー付き係止部材４を使用しているので、経済性及び操作性に優れている。勿論、当該支柱３ａ（側枠材３）が不用意に抜け、積載物や作業者に接触して危険を及ぼす虞もない。また、前記レバー付き係止部材４のロック状態を解除する手法は、図９に示したように、作業者が側枠材３を掴む等、折りたたみ作業、又は解体作業の一連の動作で簡単に解除することができ、この点においても操作性に優れている。
【００２３】
なお、前記レバー付き係止部材４は、前記側枠材３を構成する横架材３ｂのうち、下方の横架材３ｂ下面の端部に設けて実施しているが、これに限定されず、図７に示したように、支柱３ａの下方の側面に設けて実施することもできる。これは、横架材３ｂが支柱３ａの上方等に設けられ該横架材３ｂの下面に設けて実施することが困難な場合等に好適に実施される。また、図８に示したように、前記側枠材３を構成する支柱３ａと横架材３ｂとが形成する角隅部に設けて実施することもできる。要するに、前記レバー付き係止部材４は、積載物の運搬作業等の邪魔にならない部位に設けて実施することが好ましい。
【実施例２】
【００２４】
この実施例２は、上記実施例１に係る柱付きパレット４が、自重により、その一端部４ａが柱受け部材２の側面２ａに当接する方向に回転モーメントを生じ、柱受け部材２の掛け止め部６に掛け止められる構成で実施していることを特徴とする（請求項２記載の発明）。この場合、実施例２に係るレバー付き係止部材４は、図４と図６に示したように、その一端部４ａの先端を屈曲する等して前記掛け止め部６をかわして下降可能な形状で実施することに留意する。
【００２５】
この実施例２に係るレバー付き係止部材４は、要するに、その他端部４ｃにカウンタウエイト効果をもたせた構造で実施しているのである。よって、このレバー付き係止部材４は、前記側枠材３を柱受け部材２に挿入して所定の深さへ位置決めする過程において、図６に示したように、その一端部４ａが、前記カウンタウエイト効果により自動的に前記柱受け部材２に設けた掛け止め部６に衝突し（符号Ｘ参照）、回避し（符号Ｙ参照）、ついには当該一端部４ａに設けた開口部１２が前記掛け止め部６へ嵌合して掛け止められ、前記支柱３ａ（側枠材３）の上方への抜けが防止されるのである（図５も参照）。
【００２６】
したがって、この実施例２に係る柱付きパレット１０によれば、自重作用により、パレットの組み立てと同時に側枠材３を柱受け部材２へロックすることができるレバー付き係止部材４を使用しているので、上記実施例１と同様の作用効果（段落[0022]を参照）に加え、ロック操作を失念する虞もなく、手間もかからないので操作性に優れている。また、付勢手段は、レバー付き係止部材４の自重作用によるもので、付勢力が劣化する虞もない。
【実施例３】
【００２７】
図１０と図１１は、前記レバー付き係止部材４のバリエーションを示している。この実施例３に係るレバー付き係止部材１４は、その一方の先端がフック状に屈曲し、この屈曲した係合部が前記掛け止め部６に係合する構成で実施されている（請求項５記載の発明）。即ち、このレバー付き係止部材１４は、上記実施例１に係る前記レバー付き係止部材４と比して、その一端部１４ａの先端の形状のみ相違しているのである。
【００２８】
よって、このレバー付き係止部材１４も、薄鋼板を所要の角度に折り曲げ成形した構造で、前記支柱３の横架材３ｂの下面に溶接等の固定手段で取り付けた軸着部５の軸５ａにその中間屈曲部４ｂを吊り支持して回動可能に実施している。前記レバー付き係止部材１４は、手動操作により、前記柱受け部材２の掛け止め部６の下端部に掛け止めてロックする構成で実施している。
【００２９】
したがって、この実施例３に係る柱付きパレット１０によれば、シンプルな構造で、恒久的に使用可能なレバー付き係止部材１４を使用しているので、上記実施例１と同様の作用効果を奏する。即ち、経済性及び操作性に優れていることは勿論、当該支柱３ａ（側枠材３）が不用意に抜け、積載物や作業者に接触して危険を及ぼす虞もない。また、前記レバー付き係止部材１４のロック状態を解除する手法は、図１３に示したように、作業者が側枠材３を掴む等、折りたたみ作業、又は解体作業の一連の動作で簡単に解除することができ、この点においても操作性に優れている。
【実施例４】
【００３０】
この実施例４は、上記実施例３に係る柱付きパレット１４が、自重により、その一端部１４ａが柱受け部材２の側面２ａに当接する方向に回転モーメントを生じ、柱受け部材２の掛け止め部６に掛け止められる構成で実施していることを特徴とする（請求項２記載の発明）。このレバー付き係止部材１４は、図１０に示したように、その一端部４ａの先端がフック状に屈曲しているので、前記掛け止め部６をかわして下降することができる。
【００３１】
この実施例４に係るレバー付き係止部材１４は、要するに、上記実施例２と同様に、その他端部１４ｃにカウンタウエイト効果をもたせた構造で実施しているのである。よって、このレバー付き係止部材１４は、前記側枠材３を柱受け部材２に挿入して所定の深さへ位置決めする過程において、図１２に示したように、その一端部１４ａが、前記カウンタウエイト効果により自動的に前記柱受け部材２に設けた掛け止め部６に衝突し（符号Ｘ参照）、回避し（符号Ｙ参照）、ついには前記フック状の先端が前記掛け止め部６の下端部へ掛け止められ、前記支柱３ａ（側枠材３）の上方への抜けが防止されるのである。
【００３２】
したがって、この実施例４に係る柱付きパレット１０によれば、自重作用により、パレットの組み立てと同時に側枠材３を柱受け部材２へロックすることができるレバー付き係止部材４を使用しているので、上記実施例２と同様の作用効果を奏するのである（段落[0026]を参照）。
【実施例５】
【００３３】
図１４Ａ、Ｂは、前記レバー付き係止部材４のバリエーションの枢要部を示している。この実施例５に係るレバー付き係止部材２４は、その一方の先端が屈曲した係合部とされ、前記柱受け部材の側面には、前記係合部の先端が挿入可能な開口部８が設けられて実施されている（請求項６記載の発明）。即ち、図示例に係るレバー付き係止部材２４は、上記実施例１等で実施したレバー付き係止部材４、１４と比して、丸棒状の部材を使用し、これを所要の角度に屈曲させた構造で実施していることのみ相違する。
【００３４】
よって、このレバー付き係止部材２４も、前記支柱３の横架材３ｂの下面に溶接等の固定手段で取り付けた軸着部５の軸５ａにその中間屈曲部４ｂを吊り支持して回動可能に実施しているのである。
【００３５】
したがって、この実施例５に係る柱付きパレット１０によれば、シンプルな構造で、恒久的に使用可能なレバー付き係止部材２４を使用しているので、手動操作により、前記柱受け部材２の開口部８の挿入してロックする構成で実施する場合には、上記実施例
１および実施例３とほぼ同様の作用効果を奏する（段落[0022]、[0029]を参照）。また、前記レバー付き係止部材２４を、自重により、その一端部２４ａが柱受け部材２の側面２ａに当接する方向に回転モーメントを生じるように実施する場合には（請求項２記載の発明）、上記実施例２および実施例４とほぼ同様の作用効果を奏するのである（[0026]、[0032]を参照）。
【００３６】
以上に実施例を図面に基づいて説明したが、本発明は、図示例の限りではなく、その技術的思想を逸脱しない範囲において、当業者が通常に行う設計変更、応用のバリエーションの範囲を含むことを念のために言及する。
【図面の簡単な説明】
【００３７】
【図１】実施例１と実施例２に係る柱付きパレットの全体構造を示した斜視図である。
【図２】実施例１と実施例２に係る柱付きパレットの全体構造を示した正面図である。
【図３】実施例１と実施例２に係る柱付きパレットの全体構造を示した側面図である。
【図４】実施例１と実施例２に係る柱付きパレットの枢要部を示した正面図である。
【図５】実施例１と実施例２に係る柱付きパレットの枢要部を示した側面図である。
【図６】実施例２に係る柱付きパレットに使用するレバー付き係止部材の一端部の動作を段階的に示した正面図である。
【図７】実施例１と実施例２に係る柱付きパレットに使用するレバー付き係止部材の取り付け部位のバリエーションを示した正面図である。
【図８】実施例１と実施例２に係る柱付きパレットに使用するレバー付き係止部材の取り付け部位のバリエーションを示した正面図である。
【図９】実施例１と実施例２に係る柱付きパレットに使用するレバー付き係止部材のロック状態を解除する手法を示した正面図である。
【図１０】実施例３と実施例４に係る柱付きパレットに使用するレバー付き係止部材を示した正面図である。
【図１１】実施例３と実施例４に係る柱付きパレットに使用するレバー付き係止部材を示した正面図である。
【図１２】実施例４に係る柱付きパレットに使用するレバー付き係止部材の一端部の動作を段階的に示した正面図である。
【図１３】実施例３と実施例４に係る柱付きパレットに使用するレバー付き係止部材のロック状態を解除する手法を示した正面図である。
【図１４】Ａは、実施例５に係る柱付きパレットに使用するレバー付き係止部材の枢要部を示した正面図であり、Ｂは、同側面図である。
【符号の説明】
【００３８】
１    パレット基盤
２    柱受け部材
２ａ  柱受け部材の側面
２ｂ  凹溝
３    側枠材
３ａ  角パイプ
３ｂ  横架材
３ｃ  長孔
４    レバー付き係止部材
４ａ  レバー付き係止部材の一端部                                            
４ｂ  レバー付き係止部材の中間屈曲部
４ｃ  レバー付き係止部材の他端部
５    軸着部
５ａ  軸
６    掛け止め部
７    ピン
８    開口部
１０    柱付きパレット
１１    ロール状の物品                                                    
１２    開口部
１４    レバー付き係止部材
１４ａ  レバー付き係止部材の一端部                                          
１４ｂ  レバー付き係止部材の中間屈曲部
１４ｃ  レバー付き係止部材の他端部
２４    レバー付き係止部材
２４ａ  レバー付き係止部材の一端部                                          
【図１】
2007168852.tif 000003
【図２】
2007168852.tif 000004
【図３】
2007168852.tif 000005
【図４】
2007168852.tif 000006
【図５】
2007168852.tif 000007
【図６】
2007168852.tif 000008
【図７】
2007168852.tif 000009
【図８】
2007168852.tif 000010
【図９】
2007168852.tif 000011
【図１０】
2007168852.tif 000012
【図１１】
2007168852.tif 000013
【図１２】
2007168852.tif 000014
【図１３】
2007168852.tif 000015
【図１４】
2007168852.tif 000016